(57)【特許請求の範囲】
【請求項１】
中空筒状に形成された軟質の外針と、該外針の筒内に挿脱自在に挿通される硬質の内針とを備えた留置針注射器において、
両端が貫通した中空筒状の軸体と、
前記軸体の先端部に着脱自在に装着される先軸と、
前記先軸に固定された翼部と、
前記軸体の筒内に収納され前記軸体の軸心方向を移動可能になされ、且つその先端部で前記内針を保持するスライダと、
前記スライダの先端側に着脱自在に嵌合され、且つその先端部で前記外針を保持する外針継手とを有し、
前記スライダは、使用前の初期状態において、前記軸体の後端側に配置され、且つその先端部に前記外針継手が嵌合され、前記内針及び前記外針の両者が該軸体内に収納され、
前記初期状態のスライダを前記軸体の先端側に移動させると、前記外針継手は、該スライダと共に軸体の先端側に移動し、前記翼部が固定されている前記先軸の筒内に挿通され、該先軸に嵌合されると共に、前記内針及び前記外針が前記先軸から突出して穿刺状態となし、
かつ、前記外針継手と前記先軸との嵌合力が、前記外針継手と前記スライダの先端部との嵌合力よりも大きく形成され、
前記穿刺状態から前記スライダが前記軸体の後端側に向けて後退させると、前記スライダが前記外針継手から外れ、前記内針が軸体内に収容され、
更に、前記先軸が前記軸体の先端部から取り外されることを特徴とする留置針注射器。
【請求項２】
前記スライダの先端部に前記外針継手が嵌合されている場合、該スライダの先端部で保持する内針は、該外針継手が保持する外針の筒内を挿通し、その先端部が外針の先端から突出し、
前記初期状態のスライダを軸体の先端側に移動させると、前記外針継手が前記先軸の筒内に嵌合されて固定されると共に、前記内針及び前記外針が前記先軸から突出することを特徴とする請求項１に記載の留置針注射器。
【請求項３】
前記軸体には、該軸体の後端側に向けて前記スライダを付勢する付勢手段が設けられ、
前記初期状態においては、前記スライダ及び該スライダに嵌合された前記外針継手は、前記付勢手段に付勢され、前記軸体の後端側に配置されていることを特徴とする請求項１又は請求項２に記載の留置針注射器。
【請求項４】
前記軸体の測面には、該軸体の軸心方向に延びるガイド溝が形成され、
前記スライダは、前記ガイド溝に摺動自在に挿通される操作部を備え、該操作部をガイド溝に沿って移動させることにより、前記軸体の軸心方向に移動可能になされ、
前記操作部は、前記軸体の先端側に着脱自在に係止可能になされ、
前記初期状態のスライダの操作部を前記軸体の先端側に移動させて前記軸体の先端側に係止させると、前記スライダに嵌合された前記外針継手が前記先軸の筒内に嵌合し且つ前記内針及び前記外針が該先軸から突出した状態が維持され、
さらに、前記スライダは、前記係止が解除されると、前記付勢手段により軸体の後端側に付勢され、前記先軸に嵌合された外針継手から外れ、前記保持する内針と共に軸体の後端側に後退し、該軸体に収納されることを特徴とする請求項１〜３のいずれかに記載の留置針注射器。
【請求項５】
前記外針を保持する外針継手が嵌合されている先軸から、前記内針を保持するスライダを収納した軸体を取り外し、前記先軸の後端側に輸液チューブを接続することにより、輸液ラインが形成されることを特徴とする請求項４に記載の留置針注射器。
【発明の詳細な説明】
【技術分野】
【０００１】
本発明は、留置針注射器に関し、例えば、皮膚を貫通して血管へ達するための金属製の内針と、その内針の外側に位置し、血管内へ留置される軟質の外針とを備えた留置針注射器に関する。
【背景技術】
【０００２】
従来から、留置針を用いて患者の血管に対して、人工透析を行ったり、所定の薬液等を供給する輸液を行ったりする処置が行われている。そして、例えば、特許文献１には、翼付きの留置針（留置針注射器）の構造が開示されている。
ここで、図２０を参照しながら、特許文献１に記載された翼付きの留置針の構造について説明する。
【０００３】
具体的には、図示するように、従来技術による翼付きの留置針Ｚは、可撓性を有するプラスチック製の外針１００と、外針１００に外嵌固定された固定翼１１０と、外針１００の基端部に設けられた外針側ハブ１０３と、外針１００及び外針側ハブ１０３に挿脱自在に挿通され、先端部が外針１００から前方に突出する内針１２０と、内針１２０の基端部に外嵌固定された内針側ハブ１２１とを備えている。
【０００４】
また、固定翼１１０は、外針１００に外嵌固定される保持筒部１１１と、保持筒部１１１の下部から左右両側方に突設された左右一対の翼部１１２と、左右一対の連結部（リブ部）１１３とを有している。
また、外針側ハブ１０３は筒状になされ、その先端部が外針１００の基端部に外嵌固定されている。
また、内針側ハブ１２１は、筒状になされ、その先端部が内針１２０の基端部に外嵌固定されると共に、外針側ハブ１０３の基部に挿脱自在に挿入される。
【０００５】
そして、上述した、翼付きの留置針Ｚを用いた患者に対する輸液や採血は、以下のように行われる。
具体的には、まず、医師や看護師等の使用者は、翼付きの留置針Ｚを持って、患者の血管に、内針１２０及び外針１００を穿刺する。
次に、上記の内針１２０及び外針１００の穿刺が完了すると、固定翼１１０の翼部１１２を患者（患者の腕や手等）にテープで固定する。
次に、外針１００及び外針側ハブ１０３から内針１２０を抜いて取り外し、その後、外針側ハブ１０３に輸液用のチューブを接続して輸液や採血等を行う。
【先行技術文献】
【特許文献】
【０００６】
【特許文献１】特開２００３−３３９８５８号公報
【発明の概要】
【発明が解決しようとする課題】
【０００７】
ところで、留置針注射器は、内針及び外針の先端が尖っており、且つ患者の皮膚へ穿刺されるものであるため、使用前後のいずれにおいても、安全で衛生的に取り扱えるようになされていることが望まれている。
しかしながら、上述した従来技術の留置針は、患者に穿刺した内針を引き抜いた際に、その内針が露出した状態になり、その結果、いわゆる針刺し事故の発生を招くことがあるという技術的課題を有していた。
また、上述した従来技術の翼付きの留置針は、内針を収納するための本体を設けたとしても、外針に翼部が外嵌固定されているため、内針と共に外針を本体に収納しておくことができなかった（なお、翼部を収納できる大きさに本体を形成した場合、留置針が大型化して使い勝手が低下する）。
そのため、上述した従来技術の翼付きの留置針は、使用前の初期状態において、外針にキャップ状のプロテクタを外嵌することが行われているが、部品点数の増加を招いていた。また、前記プロテクタは、一般的に、使用後に廃棄されるため、廃棄物の増加要因になっていた。
【０００８】
本発明は、上記技術的課題を解決するためになされたものであり、本発明の目的は、使用前後のいずれにおいても、安全で衛生的に取り扱える留置針注射器を提供することにある。
【課題を解決するための手段】
【０００９】
上記課題を解決するためになされた本発明は、中空筒状に形成された軟質の外針と、該外針の筒内に挿脱自在に挿通される硬質の内針とを備えた留置針注射器において、両端が貫通した中空筒状の軸体と、前記軸体の先端部に着脱自在に装着される先軸と、前記先軸に固定された翼部と、前記軸体の筒内に収納され前記軸体の軸心方向を移動可能になされ、且つその先端部で前記内針を保持するスライダと、前記スライダの先端側に着脱自在に嵌合され、且つその先端部で前記外針を保持する外針継手とを有し、前記スライダは、使用前の初期状態において、前記軸体の後端側に配置され、且つその先端部に前記外針継手が嵌合され、前記内針及び前記外針の両者が該軸体内に収納され、前記初期状態のスライダを前記軸体の先端側に移動させると、前記外針継手は、該スライダと共に軸体の先端側に移動し、前記翼部が固定されている前記先軸の筒内に挿通され、該先軸に嵌合されると共に、前記内針及び前記外針が前記先軸から突出して穿刺状態となし、かつ、前記外針継手と前記先軸との嵌合力が、前記外針継手と前記スライダの先端部との嵌合力よりも大きく形成され、前記穿刺状態から前記スライダが前記軸体の後端側に向けて後退させると、前記スライダが前記外針継手から外れ、前記内針が軸体内に収容され、更に、前記先軸が前記軸体の先端部から取り外されることを特徴としている。
【００１０】
本発明は、上記構成により、使用する前段階において、外針と翼部とを離れた状態になすことができるため、軸体の筒内に、内針と共に外針を収納することが可能になる。
また、上記構成により、スライダを軸体の先端側に移動させることにより、翼部が固定されている先軸に、外針を保持する外針継手を固定することができる（外針に翼部を装着することができる）。
そのため、本発明によれば、いわゆる翼付きの留置針注射器を安全で衛生的に取り扱うことができる。
また、本発明の留置針注射器は、従来技術の翼付きの留置針注射器のように、外針の外周部を覆うプロテクタを設ける必要がないため、部品点数の増加を招くことがなく、廃棄物の量を減少させることができる。
更に、前記外針継手と前記先軸との嵌合力は、前記外針継手と前記スライダの先端部との嵌合力よりも大きく形成されている。
上記の構成により、スライダを前記軸体の後端側に向けて後退させると、スライダは、先軸に嵌合された外針継手から自動的に外れ、自身が保持する内針と共に軸体の後端側に後退して、軸体に収納される。
【００１１】
また、前記スライダの先端部に前記外針継手が嵌合されている場合、該スライダの先端部で保持する内針は、該外針継手が保持する外針の筒内を挿通し、その先端部が外針の先端から突出し、前記初期状態のスライダを軸体の先端側に移動させると、前記外針継手が前記先軸の筒内に嵌合されて固定されると共に、前記内針及び前記外針が前記先軸から突出することが望ましい。
このように、本発明によれば、留置針注射器を使用する段階になってから、軸体に収納していた内針及び外針を前記先軸から突出させると共に、外針に翼部を装着することができるため、留置針注射器を安全に利用することができる。
【００１２】
また、前記軸体には、該軸体の後端側に向けて前記スライダを付勢する付勢手段が設けられ、前記初期状態においては、前記スライダ及び該スライダに嵌合された前記外針継手は、前記付勢手段に付勢され、前記軸体の後端側に配置されていることが望ましい。
このように本発明によれば、前記の初期状態においては、スライダ及び該スライダに嵌合された外針継手が、前記付勢手段に付勢され軸体の後端側に配置されるため、使用前に内針及び外針が外部の突出することがなく、使用前の「針刺し事故」を防止することができる。
【００１３】
また、前記軸体の測面には、該軸体の軸心方向に延びるガイド溝が形成され、前記スライダは、前記ガイド溝に摺動自在に挿通される操作部を備え、該操作部をガイド溝に沿って移動させることにより、前記軸体の軸心方向に移動可能になされ、前記操作部は、前記軸体の先端側に着脱自在に係止可能になされ、前記初期状態のスライダの操作部を前記軸体の先端側に移動させて前記軸体の先端側に係止させると、前記スライダに嵌合された前記外針継手が前記先軸の筒内に嵌合し且つ前記内針及び前記外針が該先軸から突出した状態が維持され、さらに、前記スライダは、前記係止が解除されると、前記付勢手段により軸体の後端側に付勢され、前記先軸に嵌合された外針継手から外れ、前記保持する内針と共に軸体の後端側に後退し、該軸体に収納されることが望ましい。
また、前記外針を保持する外針継手が嵌合されている先軸から、前記内針を保持するスライダを収納した軸体を取り外し、前記先軸の後端側に輸液チューブを接続することにより、輸液ラインが形成されることが望ましい。
【００１４】
上記の構成により、医師や看護師等の使用者は、留置針注射器の内針及び外針を血管に穿刺すると、その後は、前記係止を解除させるだけで、血管に穿刺された内針を血管から抜き取り、軸体に収納することができる。
また、本発明では、外針を保持する外針継手が嵌合された先軸は、内針を収納した軸体に着脱自在に装着されている。
そのため、血管に穿刺された内針を血管から抜き取り、その内針を軸体に収納させた後は、先軸から軸体を取り外すことにより、安全に、翼部が装着された外針を患部に留置させておくことができる。
【発明の効果】
【００１６】
本発明によれば、使用前後のいずれにおいても、安全で衛生的に取り扱える留置針注射器を提供することができる。
【図面の簡単な説明】
【００１７】
【図１】本発明の実施形態の留置針注射器の使用前の状態を示した正面図である。
【図２】図１に示す留置針注射器のＡ−Ａ断面図である。
【図３】本発明の実施形態の留置針注射器を作動させた状態を示した正面図である。
【図４】図３に示す留置針注射器のＢ−Ｂ断面図である。
【図５】本発明の実施形態の留置針注射器の軸体から先軸を取り外した状態を示した正面図である。
【図６】図５に示す留置針注射器のＣ−Ｃ断面図である。
【図７】本発明の実施形態の先軸の斜視図である。
【図８】図７に示す先軸のＤ−Ｄ断面図である。
【図９】本発明の実施形態の尾栓の平面図である。
【図１０】図９に示す尾栓のＥ−Ｅ断面図である。
【図１１】本実施形態の留置針注射器のスライダ及び内針を示した模式図である。
【図１２】本実施形態の留置針注射器の内針を保持しているスライダの断面を示した模式図である。
【図１３】本実施形態の留置針注射器を構成する外針を保持する外針継手を示した斜視図である。
【図１４】本実施形態の留置針注射器を構成する外針を保持する外針継手の正面図である。
【図１５】図１４に示す外針を保持する外針継手のＦ−Ｆ断面図である。
【図１６】本実施形態の留置針注射器のスライダと、外針継手との関係を説明するための模式図である。
【図１７】本実施形態の留置針注射器の外針継手と、先軸との嵌合部分を説明するための模式図である。
【図１８】本実施形態の留置針注射器のスライダが外針継手から離れて後退する状態を示した模式図である。
【図１９】本実施形態の留置針注射器の内針及び外針を穿刺した後で、内針だけを軸体に収納した状態を示した模式図である。
【図２０】従来技術の留置針の構成を示した模式図である。
【発明を実施するための形態】
【００１８】
以下、本発明の実施形態の留置針注射器について説明する。
先ず、本発明の実施形態の留置針注射器の概略構成について図１〜図６を用いて説明する。
図１は、本発明の実施形態の留置針注射器の使用前の初期状態を示した正面図である。また、図２は、図１に示す留置針注射器のＡ−Ａ断面図である。
また、図３は、本発明の実施形態の留置針注射器を作動させた状態を示した正面図である。また、図４は、図３に示す留置針注射器のＢ−Ｂ断面図である。
また、図５は、本発明の実施形態の留置針注射器の軸体から先軸を取り外した状態を示した正面図である。また、図６は、図５に示す留置針注射器のＣ−Ｃ断面図である。
【００１９】
図示するように、留置針注射器Ｗは、両端が貫通している中空筒状の軸体１と、軸体１の先端部に着脱自在に装着される両端が貫通している中空筒状の先軸２と、先軸２の外周部に外嵌固定された翼部３と、軸体１の後端部を塞ぐ尾栓４と、軸体１の筒内に収納され且つ軸心方向を移動可能になされたスライダ１０（図２、４、６参照）と、スライダ１０の先端部に保持された硬質な内針６と、スライダ１０の先端部に着脱自在に嵌合され且つスライダ１０と共に前記軸心方向を移動可能な外針継手２０と、外針継手２０の先端部に保持されている軟質な外針５とを備えている。
また、軸体１の筒内には、尾栓４とスライダ１０とに挟持され、軸体１の後端側に向けてスライダ１０を付勢する付勢手段（例えば、引っ張りコイルバネ）４０が収納されている。
なお、外針継手２０は、両端が貫通しており、スライダ１０および内針６が挿脱自材に挿通されるようになされている。
【００２０】
また、内針６は、外針５の筒内に挿脱自在に挿通されるようになされている。
そして、外針継手２０にスライダ１０の先端部が嵌合された場合、スライダ１０の先端部で保持された内針６は、外針継手２０を介して、外針継手２０が保持する外針５の筒内に挿通され、その先端部が外針５の先端から突出するようになっている。
なお、本実施形態においては、軸体１の先端部と、先軸２とを着脱自在に装着する構成は、具体的に限定されるものではない。例えば、軸体１の先端側の内筒面にネジ溝を形成し、先軸２の外周面に前記ネジ溝と螺合するネジ山を形成し、軸体１のネジ溝に、先軸２のネジ山を螺合させることにより、軸体１と、先軸２とが装着できるように構成されてもよい。この場合、軸体１に螺合している先軸２を回転させて緩めることにより、軸体１から先軸２を取り外すことができる。
また、例えば、軸体１の先端部と、先軸２とがバヨネット機構により、着脱自在に装着できるようになされていてもよい。
【００２１】
また、軸体１は、その側面部に、軸体１の軸心方向に延びる長孔状のガイド溝１ａが形成され、このガイド溝１ａに、スライダ１０の外周部に形成されたガイド突起部（操作部）１０ｃ（図２、４、６参照）が摺動自在に挿通されている。また、ガイド溝１ａの一端（先端）部には、ガイド溝１ａの幅寸法よりも大きい（幅広な）係止孔１ｂが形成されている。
また、スライダ１０は、ガイド突起部１０ｃの上端部に板状の操作片（操作部）１０ｄが設けられている。また、操作片１０ｄの先端には、係止孔１ｂに係止される爪部１０ｄ１が設けられている。
なお、本実施形態において、軸体１の側面部とは、軸体１の円周外面を指すものとする。また、ガイド溝１ａは、前記円周外面上であれば、どの位置に形成されていてもかまわない。
【００２２】
そして、上記のように構成された留置針注射器Ｗは、使用前の初期状態（図１及び図２に示す状態）では、スライダ１０およびスライダ１０に嵌合された外針継手２０が、付勢手段４０により後端側に付勢され、軸体１の後端側に配置された状態で維持され、軸体１の内部に、外針５及び内針６が収納されるようになっている。
このように、本実施形態の留置針注射器Ｗは、使用前において、外針５及び内針６が軸体１の内部に収納されているため、使用前の安全性が確保される。また、使用前の外針５及び内針６を衛生的に保持することができる。
【００２３】
また、留置針注射器Ｗを使用する場合、スライダ１０の操作片１０ｄを先端側に向けて押下して（Ｙ２方向に荷重を加え）、スライダ１０（図１及び図２に示す初期状態のスライダ１０）を軸体１の先端側まで移動させ、ガイド溝１ａの先端側の係止孔１ｂに、操作片１０ｄの爪部１０ｄ１を係止する。この場合、スライダ１０の先端部に装着されている外針継手２０は、スライダ１０と共に軸体１の先端側に移動する。
これにより、図３及び図４に示すように、留置針注射器Ｗは、先軸２の先端部の開口２ａ１から、外針５および内針６が突出した状態（説明の便宜上、「穿刺使用状態」という）で維持される。
また、後述するが、前記穿刺使用状態の位置までスライダ１０を移動させると、スライダ１０に嵌合された外針継手２０の外周部が、翼部３が外嵌固定されている先軸２の内筒面に嵌合される。
【００２４】
また、前記穿刺使用状態において、操作片１０ｄの爪部１０ｄ１の係止を解除すると、スライダ１０は、付勢手段４０により後端側に付勢されて、先軸２に嵌合された外針継手２０から外れ、軸体１の後端側に向けて後退するようになっている。
したがって、本実施形態によれば、前記穿刺使用状態の留置針注射器Ｗを手に取り、患者の血管に外針５及び内針６を穿刺してから、爪部１０ｄ１の係止を解除すると、スライダ１０が保持する内針６だけが血管から引き抜かれ、軸体１内に収容される。
【００２５】
また、本実施形態では、先軸２は、軸体１に着脱自在に装着されているため、内針６を血管から引き抜いて軸体１に収容した後は、図５及び図６に示すように、先軸２を軸体１から取り外すことができる。
すなわち、本実施形態によれば、使用後の内針６を軸体１に収納した上で、取り外すことができるため、医師や看護師等の使用者の「針刺し事故」が防止される。
以下、本実施形態の留置針注射器Ｗの各構成部品の構造を説明する。
【００２６】
先ず、留置針注射器Ｗの軸体１について図１及び図２を参照しながら説明する。
図示するように、軸体１は、上述した通り、両端が貫通する中空筒状になされており、その側面部（円周外面）に、軸体１の軸心方向に延びる長孔状のガイド溝１ａが形成され、そのガイド溝１ａの一端（先端）部に、ガイド溝１ａの幅寸法よりも大きい（幅広な）係止孔１ｂが形成されている。
また、軸体１の後端側の外周部は、付勢手段４０の後端を支持・固定した尾栓４の内周側面に嵌合される形状になっている。
なお、軸体１は、例えば、合成樹脂等により形成されている。
【００２７】
つぎに、留置針注射器Ｗの先軸２について図７及び図８を用いて説明する。
図７は、本発明の実施形態の先軸の斜視図である。また、図８は、図７に示す先軸のＤ−Ｄ断面図である。
図示するように、先軸２は、両端に形成された開口２ａ１、２ａ２が貫通した中空筒状になされている。また、先軸２は、先端側の側面に、外針継手２０に形成された係止部２０ｂ２（図１５参照）が係止される係止孔２ｂが形成されている。
また、先軸２の後端部（開口２ａ２側の端部）は、軸体１（図２参照）の先端側筒内に、着脱自在に挿嵌されるようになっている。
なお、先軸２は、例えば、合成樹脂等により形成されている。
【００２８】
つぎに、留置針注射器Ｗの尾栓４について図９及び図１０を用いて説明する。
図９は、本発明の実施形態の尾栓の平面図である。また、図１０は、図９に示す尾栓のＥ−Ｅ断面図である。
図示するように、尾栓４は、一端（上端）に上面部４ａが形成され、他端（下端）に開口４ｂが形成された中空筒状になされ、当該上面部４ａには、下端の開口４ｂに向けて延設された筒状部４ｃが設けられている。
また、前記筒状部４ｃは、開放端側に、付勢手段４０の一端部が支持・固定されるバネ受け座４ｃ１が設けられている。
そして、図２に示すように、付勢手段４０を固定した尾栓４の内周側面と、筒状部４ｃの外周側面部との間に、軸体１の後端部が挿嵌され、これにより、軸体１の後端部が塞がれる。
なお、尾栓４は、例えば、合成樹脂等により形成されている。
【００２９】
つぎに、留置針注射器Ｗのスライダ１０及び内針６について、図１１〜図１２を用いて説明する。
図１１は、本実施形態の留置針注射器のスライダ及び内針を示した模式図である。また、図１２は、本実施形態の留置針注射器の内針を保持しているスライダの断面を示した模式図である。
【００３０】
図示するように、スライダ１０は、円筒状になされ、一端（先端）側に内針６の後端部が挿嵌・固定される内針保持部１０ａが形成されている。
また、内針６は、両端が貫通した中空筒状に形成され、その先端部が鋭利な形状（先端部を斜めにカットしてなされた形状（所謂「注射針の針先」の形状））になされている。
なお、スライダ１０は、例えば、合成樹脂等により形成されている。また、内針６は、例えば、ステンレス等の金属により形成されている。
【００３１】
また、スライダ１０の構造を詳細に説明すると、スライダ１０は、他端（後端）側に、付勢手段４０の先端部が支持・固定されるバネ受け部１０ｂが形成されている。
また、スライダ１０は、その外周部に、スライダ１０の径方向に延びる凸状のガイド突起部１０ｃが形成され、そのガイド突起部１０ｃの上端部に、板状に形成された操作片１０ｄが設けられている。
また、操作片１０ｄの先端部には、スライダ１０を軸体１に取り付けた際に、軸体１と相対向する方向に突出する爪部１０ｄ１が形成されている。
そして、軸体１の筒内に収納されたスライダ１０は、ガイド突起１０ｃが軸体１のガイド溝１ａに摺動自在に挿通され、ガイド突起部１０ｃの上端部に形成された操作片１０ｄを操作し、該ガイド突起１０ｃをガイド溝１ａに沿って移動させることにより、軸体１の軸心方向を移動できるようになっている。
【００３２】
つぎに、留置針注射器Ｗの外針継手２０及び外針５について、図１３〜図１５を用いて説明する。
図１３は、本実施形態の留置針注射器を構成する外針を保持する外針継手を示した斜視図である。また、図１４は、本実施形態の留置針注射器を構成する外針を保持する外針継手の正面図である。また、図１５は、図１４に示す外針を保持する外針継手のＦ−Ｆ断面図である。
【００３３】
図示するように、外針継手２０は、両端に形成された開口２０ａ１、２０ａ２（図１５参照）が貫通した内筒部２０ａと、内筒部２０ａの外周側に該内筒部２０ａと同心状に配置された外筒部２０ｂと、内筒部２０ａの後端部と外筒部２０ｂの後端部とを接続する基端部２０ｃ（図１５参照）とを有している。なお、内筒部２０ａ、外筒部２０ｂ及び基端部２０ｃは、一体的に形成されている。
また、外針５は、両端が貫通した中空筒状に形成され、その先端部が鋭利な形状になされている。
なお、外針継手２０は、例えば、合成樹脂等により形成されている。また、外針５は、ＰＥ（ポリエチレン）、ＰＰ（ポリプロピレン）、テフロン（登録商標）、ポリウレタン等により形成されている。
【００３４】
また、外針継手２０の構造を詳細に説明すると、内筒部２０ａの先端側の開口２０ａ１には、外針５の後端部が挿嵌・固定されている。
また、外針継手２０を構成する外筒部２０ｂは、切り欠き２０ｂ１が形成され、径方向に弾性変形できるようになっている。また、外筒部２０ｂの外周面には、前記径方向に突出する係止部２０ｂ２が形成されている。
そして、外針継手２０は、先軸２の筒内に挿入されて、係止孔２ｂ（図７、図８参照）に、外筒部２０ｂの係止部２０ｂ２が係止されることにより、先軸２に嵌合されるようになっている。
【００３５】
また、基端部２０ｃには、貫通孔２０ｃ１が形成されており、その貫通孔２０ｃ１が、内筒部２０ａの筒内と連通している。これにより、外針継手２０の後端の貫通孔２０ｃ１と、外針継手２０の先端で保持されている外針５の筒内とが連通する。
また、基端部２０ｃの貫通孔２０ｃ１の内周面は、スライダ１０の先端側の外周部が挿入されて嵌合する形状になされている。
この構成により、外針継手２０の後端側の貫通孔２０ｃ１に、内針６を保持するスライダ１０が挿通されると、スライダ１０が貫通孔２０ｃ１の内周面に嵌合すると共に、内針６が外針継手２０の内筒部２０ａを介して外針５の筒内に挿通され、内針６の先端部が外針５から前方に突出する。
【００３６】
続いて、本実施形態の留置針注射器Ｗの使用前後の状態及び動作について、図２、図４及び図６と、図１６〜図１９とを用いて説明する。
図１６は、本実施形態の留置針注射器のスライダと、外針継手との関係を説明するための模式図であり、図１６（ａ）は、スライダが外針継手に嵌合されていない状態を示しており、図１６（ｂ）は、スライダが外針継手に嵌合されている状態を示している。
また、図１７は、本実施形態の留置針注射器の外針継手と、先軸との嵌合部分を説明するための模式図である。
また、図１８は、本実施形態の留置針注射器のスライダが外針継手から離れて後退する状態を示した模式図である。
また、図１９は、本実施形態の留置針注射器を穿刺使用状態にしてから内針だけを軸体に収納した状態を示した模式図である。
なお、図１６及び図１８に示す矢印「Ｆ１」は、スライダ１０が、付勢手段４０（図１６及び図１８には示さず）から受けているＹ１方向の付勢力を模式的に示したものである。
また、図１６（ｂ）に示す矢印「Ｆ３」は、軸体１の係止孔１ｂに係止されたスライダ１０の係止を解除した際における、前記付勢力Ｆ１に対抗する「スライダ１０と外針継手２０との嵌合力（Ｙ２方向の力）」を模式的に示したものである。
また、図１８における矢印「Ｆ２」は、軸体１の係止孔１ｂに係止されたスライダ１０の係止を解除した際における、前記付勢力Ｆ１に対抗する「外針継手２０と先軸２との嵌合力（Ｙ２方向の嵌合力）」を模式的に示したものである。
【００３７】
まず、本実施形態の留置針注射器Ｗの使用前の初期状態について説明する。
図２に示すように、初期状態においては、内針６の後端部を保持するスライダ１０は、付勢手段４０により後端側（Ｙ１側）に付勢されて、軸体１の後端側に配置されている。
また、前記初期状態では、外針５を保持する外針継手２０は、その後端部が、スライダ１０の先端部に嵌合され、内針６及び外針５の両者が、軸体１の筒内に収納されるようになっている。
【００３８】
具体的には、初期状態においては、図１６（ａ）に示すように、スライダ１０の先端部が外針継手２０の基端部２０ｃの貫通孔２０ｃ１に着脱自在に挿嵌されている。
なお、スライダ１０の先端部が外針継手２０の貫通孔２０ｃ１に挿嵌された場合、図１６（ｂ）に示すように、スライダ１０が保持する内針６は、外針継手２０を構成する内筒部２０ａの筒内及び外針５の筒内を挿通し、さらに、内針６の先端部が外針５から前方に突出するようになっている。
【００３９】
つぎに、本実施形態の留置針注射器Ｗを初期状態から穿刺使用状態にする際の動作について説明する。
図２に示す初期状態の留置針注射器Ｗを使用する場合、使用者は、手の指等をスライダ１０の操作片１０ｄに当て、操作片１０ｄを軸体１の先端側に向けて押下し（Ｙ２方向に荷重を加える）、スライダ１０を軸体１の先端側まで移動させ、軸体１に形成された係止孔１ｂに、操作片１０ｄの爪部１０ｄ１を係止させる。
これにより、図３及び図４に示すように、留置針注射器Ｗは、先軸２の先端部の開口２ａ１から、外針５および内針６が突出した穿刺使用状態で維持される。
【００４０】
また、上述したように、スライダ１０を軸体１の先端側まで移動させると、図１７に示すように、スライダ１０の先端に嵌合された外針継手２０が、軸体１（図１７には示さず）の先端部に装着された先軸２の筒内に挿入されるようになっている。
また、外針継手２０が、先軸２の筒内に挿入されると、先軸２の係止孔２ｂに、外針継手２０を構成する外筒部２０ｂの係止部２０ｂ２が係止されるようになっている。これにより、外針５を保持した外針継手２０が、翼部３が外嵌固定されている先軸２（図２、図４参照）の筒内に嵌合される。
なお、上述した外針継手２０と、先軸２とを嵌合する構成は、あくまでも一例であり、特にこれに限定されるものではない。例えば、外針継手２０の先端を、先軸２に対して回転させることにより嵌合できるように構成されていてもよい。また、例えば、外針継手２０の外周測面にネジ山を設け、先軸２の筒内に、前記ネジ山に螺合するネジ溝を設け、外針継手２０と、先軸２とを螺合させるようにしてもよい。
【００４１】
このように、本実施形態では、使用前状態では軸体１の内部に外針５及び内針６を収納され、外針５と翼部３とが離れた状態に配置されている。
そして、実際に使用する段階になってから、先軸２から外針５および内針６を突出させると共に、外針５に翼部３を装着している。
そのため、本実施形態の留置針注射器Ｗは、安全で衛生的に取り扱うことができる。
【００４２】
つぎに、穿刺使用状態にした留置針注射器Ｗの利用方法について説明する。
使用者は、上述した操作により、留置針注射器Ｗを穿刺使用状態すると、患者の血管に、留置針注射器Ｗの外針５及び内針６を穿刺する。
次に、使用者は、翼部３を患者の腕や手等にテープで固定する。
【００４３】
そして、翼部３をテープで固定した後は、使用者は、スライダ１０の操作片１０ｄの爪部１０ｄ１の係止を解除する。
この操作により、図１８に示すように、外針５の後端を保持するスライダ１０は、付勢手段４０（図１８には示さず）により後端側に付勢され（付勢力Ｆ１により後端側に付勢され）、先軸２に嵌合されている外針継手２０から外れ、軸体１の後端側に向けて後退する。これにより、血管に穿刺された外針５及び内針６のうち、スライダ１０が保持する内針６だけが血管から引き抜かれ、軸体１の内部に収納される。
【００４４】
また、本実施形態では、外針継手２０と先軸２との嵌合力Ｆ２（図１８参照）は、スライダ１０の先端部と外針継手２０との嵌合力Ｆ３（図１６（ｂ）参照）よりも大きくなるように設計されている（Ｆ２＞Ｆ３）。
また、スライダ２０が付勢手段４０から受けるＹ１方向への付勢力Ｆ１（図１６、図１８参照）は、外針継手２０と先軸２との嵌合力Ｆ２より小さく、且つ、スライダ１０と外針継手２０との嵌合力Ｆ３よりも大きくなるように設計されている（ ｜Ｆ２｜ ＞ ｜Ｆ１｜＞｜Ｆ３｜）。
また、軸体１と先軸２との嵌合力Ｆ４（図示せず）は、外針継手２０と先軸２との嵌合力（Ｆ２）よりも大きくなるように設計されている（Ｆ４＞Ｆ２）。
この構成により、スライダ１０の操作片１０ｄの爪部１０ｄ１を解除することにより、スライダ１０は、先軸２に嵌合された外針継手２０から自動的に外れ、自身が保持する内針６と共に軸体１の後端側に後退して、軸体１に収納される。
【００４５】
その後は、図１９に示すように、先軸２に嵌合されている外針継手２０に保持された外針５だけが外部に突出した状態（外針５だけが血管に穿刺した状態）になっている留置針注射器Ｗに対して、使用者は、先軸２から軸体１を取り外し（図６の状態にして）、先軸２の後端部に輸液チューブ等を接続することにより、輸液ラインを形成することができる。
なお、先軸２から取り外した内針６を収納した軸体１は、廃棄処理されるが、内針５が軸体１に収納された状態になされているため、針刺し事故の発生が抑制される。
【００４６】
以上説明したように、本実施形態によれば、使用前後のいずれにおいても、安全で衛生的に取り扱える留置針注射器を提供することができる。
なお、本発明は、上述した実施形態に限定されるものではなく、その要旨の範囲において種々の変形が可能である。
【００４７】
また、上述した実施形態では、付勢手段４０が軸体１の後端側に配置されているが、あくまでもこれは一例に過ぎない。
例えば、付勢手段４０が軸体１の先端側に配置され、その付勢手段４０が軸体１の後端側に向けて、スライダ１０（及びスライダ１０に嵌合された外針継手２０）を付勢するようになされていてもかまわない（この場合、例えば、付勢手段４０に圧縮コイルバネを用いることができる）。
【００４８】
また、例えば、上述した実施形態では、付勢手段４０により、軸体１の後端側にスライダ１０を付勢しているが、特にこれに限定されるものではない。スライダ１０が、初期状態（図２に示す状態）の位置に維持できるように形成されていれば、付勢手段４０を設けなくても、上述した実施形態と同様、安全で衛生的に取り扱うことができる。
なお、上記のように付勢手段４０を設けない場合には、図３に示す穿刺使用状態の留置針注射器Ｗを患者の血管に穿刺すると、使用者が、スライダ１０の操作片１０ｄを操作し、ガイド溝１ａに沿って、軸体１の後端側にスライドさせるようにすればよい。
【００４９】
また、上述した実施形態では、翼部３が、先軸２の外周部に外嵌固定されている例を示したが、翼部３は、先軸２に固定されていればよく、その固定方法については特に限定されるものではない。
【符号の説明】
【００５０】
Ｗ        留置針注射器
１        軸体
１ａ      ガイド溝（軸体）
１ｂ      係止孔（軸体）
２        先軸
２ａ１    開口（先軸）
２ａ２    開口（先軸）
２ｂ      係止孔（先軸）
３        翼部
４        尾栓
４ａ      上面部（尾栓）
４ｂ      開口（尾栓）
４ｃ      筒状部（尾栓）
５        外針
６        内針
１０      スライダ
１０ａ    内針保持部（スライダ）
１０ｂ    バネ受け部（スライダ）
１０ｃ    ガイド突起部（スライダ）
１０ｄ    操作片（スライダ）
１０ｄ１  爪部（スライダ）
２０      外針継手
２０ａ    内筒部（外針継手）
２０ａ１  開口（内筒部（外針継手））
２０ａ２  開口（内筒部（外針継手））
２０ｂ    外筒部（外針継手）
２０ｂ１  切り欠き（外筒部（外針継手））
２０ｂ２  係止部（外筒部（外針継手））
２０ｃ    基端部（外針継手）
２０ｃ１  貫通孔（基端部（（外針継手））
４０      付勢手段
【図１】
0005441565.tif 000002
【図２】
0005441565.tif 000003
【図３】
0005441565.tif 000004
【図４】
0005441565.tif 000005
【図５】
0005441565.tif 000006
【図６】
0005441565.tif 000007
【図７】
0005441565.tif 000008
【図８】
0005441565.tif 000009
【図９】
0005441565.tif 000010
【図１０】
0005441565.tif 000011
【図１１】
0005441565.tif 000012
【図１２】
0005441565.tif 000013
【図１３】
0005441565.tif 000014
【図１４】
0005441565.tif 000015
【図１５】
0005441565.tif 000016
【図１６】
0005441565.tif 000017
【図１７】
0005441565.tif 000018
【図１８】
0005441565.tif 000019
【図１９】
0005441565.tif 000020
【図２０】
0005441565.tif 000021